(57)【要約】【課題】天井の開口部の有無に拘わらず設置可能な互換性を有すると共に複数の部屋を有する建物でも換気を十分に行える空調装置を提供すること。【解決手段】室内の天井板３の上部に配設される本体ケース２に、外気導入風路ＡＲ１と、排気風路ＡＲ２とが形成され、外気導入風路ＡＲ１と排気風路ＡＲ２との交差部分に熱交換素子１１を設け、本体ケース２を天井板３の上部又は上方に設置する状態で、熱交換素子１１の排気用通路Ｐ２の室内空気を導入する室内空気吸込面Ｆ２を、熱交換素子１１の外気用通路Ｐ１の建物外部の空気を供給する吹出面Ｆ１より、下側に位置させ、室内空気吸込面Ｆ２に臨む側壁部８と、室内空気吸込面Ｆ２に臨む蓋板１５に、室内空気排出用の開口部１６、３４をそれぞれ閉鎖可能に設けた。【選択図】  図１
2004251610.tif 000002
【特許請求の範囲】
【請求項１】
室内の天井板の上部若しくは上方に配設される本体ケースに、建物外部の空気を取り入れて室内に供給するための外気導入風路と、室内空気を取り入れて建物外部に排気するための排気風路とを形成し、
前記外気導入風路と前記排気風路とを交差させた交差部分に、前記建物外部の空気を通過させる外気用通路と室内空気を通過させる排気用通路とで熱交換を行う熱交換手段を設け、
前記本体ケースを前記天井板の上部又は上方に設置する状態で、前記熱交換手段の前記排気用通路の室内空気の吸込口が開口する室内空気吸込面を、前記熱交換手段の前記外気用通路の建物外部の空気の吹出口が開口する吹出面より下側に位置するように構成し、
前記排気用通路の室内空気吸込面に臨む本体ケースの側壁部と、前記室内空気吸込面に臨む本体ケース底部とのそれぞれに、室内空気吸込用の吸込口をそれぞれ閉鎖可能に設けたことを特徴とする空調装置。
【請求項２】
請求項１の空調装置であって、
前記本体ケースの前記天井板側に位置する底板部に、前記熱交換手段を着脱するための着脱用の開口部と、該着脱用の開口部を閉鎖する蓋板を設け、該蓋板上部と前記本体ケースの内壁面で形成される空間部に、前記熱交換手段を保持する保持部材を設け、該保持部材に、前記外気導入風路の一部を構成する外気導入用の開口部と、前記排気風路の一部を構成する室内空気排出用の開口部とを設け、前記底板部に前記天井板の開口部に臨んで開口する室内空気吸込用の吸込口を形成したことを特徴とする空調装置。
【請求項３】
請求項１、２のいずれかの空調装置であって、
前記本体ケース内部の前記熱交換手段に隣接する位置に、前記外気導入風路の一部を構成して建物外部の空気を前記本体ケース内に導入する外気導入室と、前記熱交換手段からの室内空気を建物の外部に排気する室内空気導入室とを上下に形成し、前記外気導入室の側壁部に建物外部の空気を通過させる開口部を形成し、前記室内空気導入室の側壁部に室内空気を本体ケースから排出する開口部を形成し、前記外気導入室と前記室内空気導入室とを仕切る仕切板に、単一のモーターを設置し、該モーターの回転軸を前記仕切板の上下に突出させ、上下の回転軸に遠心ファンを設け、それぞれの遠心ファンをファンケースで覆って、前記外気導入風路と前記排気風路とを形成したことを特徴とする空調装置。
【請求項４】
室内の天井板の上部若しくは上方に配設される本体ケースに、建物外部の空気を取り入れて室内に供給するための外気導入風路と、室内空気を取り入れて建物外部に排気するための排気風路とを形成し、前記本体ケースに、前記排気風路を構成する室内空気吸込用の吸込口を複数個設けたことを特徴とする空調装置。
【請求項５】
請求項４の空調装置であって、前記本体ケースにおける底部と側壁部に、室内空気吸込用の吸込口をそれぞれ形成したことを特徴とする空調装置。
【請求項６】
請求項４の空調装置であって、前記本体ケースの側壁部に室内空気吸込用の吸込口を複数個形成したことを特徴とする空調装置。
【請求項７】
請求項１〜請求項６のいずれかの空調装置を用いた建物であって、建物の複数の室内の何れかに室内空気を吸い込む空気吸込口を形成し、該空気吸込口と前記空調装置の側壁部の吸込口とをダクトにより接続したことを特徴とする建物。
【発明の詳細な説明】
【０００１】
【発明の属する技術分野】
この発明は、建物外部の空気を室内に取り入れると共に室内の空気を建物の外側に排出する機能を有する空調装置及びこの空調装置を備えた建物に関する。
【０００２】
【従来の技術】
従来、建物外部の空気を室内に取り入れると共に室内の空気を建物の外側に排出する機能を有する空調装置としては、図１４に示す換気装置が知られている。
【０００３】
この換気装置１００は、室内の天井板Ｓの上に設置される半隠蔽タイプのものであり、室内の天井板Ｓには室内の空気を吸引する開口部Ｓ１が形成されている。換気装置１００の本体ケース１０１には、天井板Ｓの開口部Ｓ１から室内に臨んで開口する開口部１０２が形成されている。この開口部１０２は室内天井近傍に設けられるフロントパネル１０３によってカバーされる。フロントパネル１０３には空気を通過させる開口部１０４が形成されている。
【０００４】
本体ケース１００の開口部１０４の内部には、熱交換素子１０５が配設されている。この熱交換素子１０５は、フロントパネル１０３の開口部１０４から吸い込み、開口部１０２を経由して取り入れられた室内空気を通過させる通路Ａと、建物外部の空気を通過させる通路Ｂとを備えており、通路Ａ，Ｂをそれぞれ通過する空気の間で熱交換が出来るようになっている。開口部１０２は熱交換素子１０５の通路Ａに通じており、熱交換素子１０５の通路Ａは、送風路１０６を介して排気導入室１０７に接続され、更に、排気導入室１０７は排気通路１０８に接続されている。排気導入室１０７には排気ファン１０９が格納されており、排気ファン１０９は送風路１０６から空気を吸い込んで排気通路１０８に送風できるようになっている。排気通路１０８は図示しないダクトを介して建物の外部と通じている。排気ファン１０９は本体ケース１０１の中央部の仕切板１１４に取り付けられたモーターＭ１により回転される。
【０００５】
本体ケース１０１の側壁部には建物外部の空気を導入する導入通路１１０が形成されており、この導入通路１１０は建物の外部に通じている図示しないダクトに接続されており、導入通路１１０に熱交換素子１０５の通路Ｂが接続されている。通路Ｂは送風路１１１を介して空気供給室１１２に接続されており、空気供給室１１２には外気導入ファン１１３が配設されている。外気導入ファン１１３は空気供給室１１２と排気導入室１０７との間の仕切板１１４に取り付けられたモーターＭ２により回転される。空気供給室１１２には供給通路１１５が接続されており、供給通路１１５は図示しないダクトを介して所定の室内に接続されており、所定の室内に建物外部の空気が供給されるようになっている。尚、符号Ｆはフィルターである。
【０００６】
【特許文献１】
特開平１０−２８１５２３号公報（００１４−００２１、図１、図３）
【０００７】
【発明が解決しようとする課題】
ところで、換気装置１００を設置する建物には、上記の従来例に示すように室内天井板Ｓに開口部Ｓ１を設けてこの開口部Ｓ１から空気を取り入れることが可能な場合（半隠蔽タイプ）と、室内天井板に開口部を設けないで換気装置１００を全て天井板の上に設置し、別に設けた吸気グリル等からダクトを経由して室内空気を吸引する場合（全隠蔽タイプ）とがある。
【０００８】
従って、室内天井板に空気取入れ用の開口部Ｓ１が予め設けられない場合には、上述の換気装置１００を設置できないので、天井の上などに室内から見えない状態に設置される全隠蔽タイプの換気装置を構成する必要がある。この全隠蔽タイプの換気装置は、室内空気を導入する開口部を本体ケース１０１の側壁部に設け、この室内空気の導入用の開口部と熱交換素子１０５の通路Ａとを接続することとなる。
【０００９】
しかしながら、室内天井に開口部が開いている場合に設置する半隠蔽タイプの換気装置と、室内天井に開口部が開いていない場合に設置する全隠蔽タイプの換気装置とを別々に用意することは、換気装置の量産化に不利であり、コストアップとなるという問題がある。
【００１０】
又、建物天井の略中心部に換気装置１００を設置することは少なく、多くの場合は中心部から離れた天井部に換気装置１００を設置するために、換気装置１００から離れた遠いところの室内では換気効率が低くなることが想定される。すなわち、複数の部屋を備えた建物では建物全体から満遍なく換気を行うことが難しいという問題がある。又、居住者が常時いるリビングや湿気の発生しやすい室内では積極的に換気量を増やすのが望ましい。更に、室内の空気を吸い込む吸込口が天井部から室内に臨んでいる場合、ファンの音が吸込口から漏れてしまうという問題がある。
【００１１】
本発明は、このような課題に着目してなされたものであり、天井の空気取り入れ用の開口部の有無に拘わらず、設置が可能とされ、互換性が向上する空調装置を提供すること、並びに、複数の部屋を有する建物でも換気を十分に行えるようにすることを目的とする。
【００１２】
【課題を解決するための手段】
上記課題を解決するために、本願の第１の空調装置は、室内の天井板の上部若しくは上方に配設される本体ケースに、建物外部の空気を取り入れて室内に供給するための外気導入風路と、室内空気を取り入れて建物外部に排気するための排気風路とを形成し、
前記外気導入風路と前記排気風路とを交差させた交差部分に、前記建物外部の空気を通過させる外気用通路と室内空気を通過させる排気用通路とで熱交換を行う熱交換手段を設け、
前記本体ケースを前記天井板の上部又は上方に設置する状態で、前記熱交換手段の前記排気用通路の室内空気の吸込口が開口する室内空気吸込面を、前記熱交換手段の前記外気用通路の建物外部の空気の吹出口が開口する吹出面より下側に位置するように構成し、
前記排気用通路の室内空気吸込面に臨む本体ケースの側壁部と、前記室内空気吸込面に臨む本体ケース底部とのそれぞれに、室内空気吸込用の吸込口をそれぞれ閉鎖可能に設けたことを特徴とする。
【００１３】
本願の第２の空調装置は、本願の第１の空調装置であって、前記本体ケースの前記天井板側に位置する底板部に、前記熱交換手段を着脱するための着脱用の開口部と、該着脱用の開口部を閉鎖する蓋板を設け、該蓋板上部と前記本体ケースの内壁面で形成される空間部に、前記熱交換手段を保持する保持部材を設け、該保持部材に、前記外気導入風路の一部を構成する外気導入用の開口部と、前記排気風路の一部を構成する室内空気排出用の開口部とを設け、前記底板部に前記天井板の開口部に臨んで開口する室内空気吸込用の吸込口を形成したことを特徴とする。
【００１４】
本願の第３の空調装置は、本願の第１、２のいずれかの空調装置であって、前記本体ケース内部の前記熱交換手段に隣接する位置に、前記外気導入風路の一部を構成して建物外部の空気を前記本体ケース内に導入する外気導入室と、前記熱交換手段からの室内空気を建物の外部に排気する室内空気導入室とを上下に形成し、前記外気導入室の側壁部に建物外部の空気を通過させる開口部を形成し、前記室内空気導入室の側壁部に室内空気を本体ケースから排出する開口部を形成し、前記外気導入室と前記室内空気導入室とを仕切る仕切板に、単一のモーターを設置し、該モーターの回転軸を前記仕切板の上下に突出させ、上下の回転軸に遠心ファンを設け、それぞれの遠心ファンをファンケースで覆って、前記外気導入風路と前記排気風路とを形成したことを特徴とする。
【００１５】
本願の第４の空調装置は、室内の天井板の上部若しくは上方に配設される本体ケースに、建物外部の空気を取り入れて室内に供給するための外気導入風路と、室内空気を取り入れて建物外部に排気するための排気風路とを形成し、前記本体ケースに、前記排気風路を構成する室内空気吸込用の吸込口を複数個設けたことを特徴とする。
【００１６】
本願の第５の空調装置は、本願の第４の空調装置であって、前記本体ケースにおける底部と側壁部に、室内空気吸込用の吸込口をそれぞれ形成したことを特徴とする。
【００１７】
本願の第６の空調装置は、本願の第４の空調装置であって、前記本体ケースの側壁部に室内空気吸込用の吸込口を複数個形成したことを特徴とする。
【００１８】
本願の第１の建物は、本願の第１〜第６のいずれかの空調装置を用いた建物であって、建物の複数の室内の何れかに室内空気を吸い込む空気吸込口を形成し、該空気吸込口と前記空調装置の側壁部の吸込口とをダクトにより接続したことを特徴とする。
【００１９】
本願の第２の建物は、本願の第１の建物において、前記空気吸込口を形成した室内に、前記空調装置の外気を供給する外気給気口を形成し、該外気給気口と前記空調装置の外気導入風路とをダクトにより接続したことを特徴とする。
【００２０】
本願の第３の建物は、本願の第１，第２のいずれかの建物であって、前記室内空気の吸込口を形成する室内は、居間、押入、収納庫、階段通路、脱衣場、二階居室の少なくとも何れかであることを特徴とする。
【００２１】
【発明の実施の形態】
以下、本発明の実施の形態にかかる空調装置としての換気装置を図面を用いて説明する。
［第１の空調装置］
図１は、本発明の実施の形態にかかる半隠蔽タイプの換気装置１の概略構成を示したものである。換気装置１の本体ケース２は、室内の天井板３の上部に取り付けられる半隠蔽型であるが、全隠蔽型にも使用できるものである。天井板３には取付用の開口部４が形成されている。本体ケース２はこの開口部４から挿入されて天井板３の上部に設置され、本体ケース２のほぼ半分だけが開口部４から臨むことが可能とされている。
【００２２】
この空調装置としての換気装置１の主要構成は、室内の天井板３の上部若しくは上方に配設される本体ケース２に、建物外部の空気（外気）を取り入れて室内に供給するための外気導入風路ＡＲ１と、室内空気を取り入れて建物外部に排気するための排気風路ＡＲ２とが形成されている。
【００２３】
また、外気導入風路ＡＲ１と排気風路ＡＲ２とを交差させた交差部分には、建物外部の空気を通過させる外気用通路Ｐ１と室内空気を通過させる排気用通路Ｐ２とで熱交換を行う熱交換素子１１が、設けられている（図２参照）。
【００２４】
本体ケース２は、図２に示すように、本体ケース２を天井板３の上部又は上方に設置する状態で、熱交換素子１１の排気用通路Ｐ２の室内空気を導入する吸込口が開口する室内空気吸込面Ｆ２を、熱交換素子１１の外気用通路Ｐ１の建物外部の空気を所望の室内に供給する吹出口が開口する吹出面Ｆ１より、下側に位置するように構成されている。
【００２５】
排気用通路Ｐ２の室内空気吸込面Ｆ２に臨む本体ケース２の側壁部８と、室内空気吸込面Ｆ２に臨む本体ケース２の蓋板１５のそれぞれには、室内空気吸込用の吸込口１６がそれぞれ閉鎖可能に設けられている。
【００２６】
以下、各部分につき説明する。本体ケース２は直方体形状の箱形金属ケースからなる。本体ケース２の長手方向の一方の側壁部５には、室内の空気を建物外に排気する室内空気排出用の出口側の開口部６と、建物外部の空気を室内に導入する外気導入用の入口側の開口部７とが形成されている。本体ケース２の長手方向の他方の側壁部８には、本体ケース２の内部に導入した空気を室内に送風する外気導入用の出口側の開口部９が形成されている。開口部７，９は本体ケース２の外気導入用の開口部を構成し、開口部６と後述する開口部３４は本体ケース２の室内空気の排気風路を構成する。
【００２７】
また、本体ケース２の天井板３に接する底板部１０側には、熱交換素子１１の保持部材１２、１３を脱着するための開口部１４が形成されており、この開口部１４を閉鎖する蓋板１５に、室内の空気を建物の外部に排出するための入り口側の開口部１６が形成されている。蓋板１５の開口部１６は室内空気の吸込用の開口部であり、図６に示すネジ穴１６Ａにカバー１６Ｂをネジ止めすることにより閉鎖可能とされている。
【００２８】
蓋板１５は、開口部１４を閉鎖するために、底板部１０の一部を形成する。この開口部１４は、保持部材１２，１３を開口部４より脱着するために、開口部４より小さく形成されている。蓋板１５は開口部１４の縁部に図示しないヒンジにより取り付けられ、開閉可能とされている。
【００２９】
本体ケース２の保持部材１２，１３から離間した部位には、ファンケース１７、１８を格納する固定枠１９が取り付けられており、固定枠１９の高さ方向の中央部には、風路を仕切る仕切板２０が取り付けられている。
【００３０】
仕切板２０の上部に配設されるファンケース１７の排気口部は、固定枠１９の縦壁部１９Ａに固定されており、縦壁部１９Ａに室内空気排気用の開口部２１が開口されている。仕切板２０の下部に配設されるファンケース１８の排気口部は、固定枠１９の縦壁部１９Ｂに固定されており、縦壁部１９Ｂに外気導入用の開口部２２が開口されている。
【００３１】
また、固定枠１９の縦壁部１９Ａには、建物外部の空気を導入する外気導入用の開口部２３が形成され、固定枠１９の縦壁部１９Ｂには、室内空気を建物外部に排気する室内空気排気用の開口部２４が形成されている。
【００３２】
ファンケース１７の内部には遠心ファン２５が配設され、ファンケース１８の内部には遠心ファン２６が配設されている。遠心ファン２５，２６は仕切板２０に取り付けられたモーター２７の回転軸２７Ａに回り止めされて固定されている。モーター２７は図示しない制御基板に接続され、制御基板からの電力制御により回転する。ファンケース１７，１８はそれぞれ空気取り入れのための開口部となるベルマウス１７Ａ、１８Ａを備えている。
【００３３】
固定枠１９と本体ケース２の側壁部５との間には、弾性のある発泡樹脂（例えば発泡ポリプロピレン、発泡ポリエチレン、発泡ポリスチレン、発泡ポリ塩化ビニル等）からなる樹脂板２８が設けられている。樹脂板２８には、開口部６，７とそれぞれ通じる開口部２９，３０が形成されており、開口部２９，３０の縁部に筒状のダクトジョイント３１，３２が接触している。
【００３４】
本体ケース２の側壁部８側には、本体ケース２内部に取り入れた建物の外部の空気を室内に供給するための開口部９と、他の室内の空気を建物外部に排出するための開口部３４とが形成されている。開口部９の縁部には筒状のダクトジョイント３５が接触しており、開口部３４の縁部にはダクトジョイント３６が接触している。ダクトジョイント３６には蓋３７が装着されており、この実施の形態では閉鎖されている。ダクトジョイント３１、３２には建物外部と通じる図示しないダクトが接続される。ダクトジョイント３５には本体ケース２に取り入れた新しい空気を供給するための室内天井に延びる図示しないダクトが接続される。尚、ダクトジョイント３５には、換気を希望する室内の天井や壁面等に設けた吸気グリル等に接続されるダクトが装着可能となっている。
【００３５】
熱交換手段としての熱交換素子１１は、図２に示すように、段ボール紙の断面形状に似た断面構成を有するプラスチック製のシート４０、４１を多数積層したものであり、個々のシート４０，４１は室内の空気を通す細長い通路Ｐが多数平行に配列されている。排気風路ＡＲ２の一部を構成するシート４０は、排気風路ＡＲ２に沿って外気用通路Ｐ１が向けられ、外気導入風路ＡＲ１の一部を構成するシート４１は、外気導入風路ＡＲ１に沿って排気用通路Ｐ２が向けられる。排気風路ＡＲ２の一部を構成するシート４０と、外気導入風路ＡＲ１の一部を構成するシート４１は一組とされており、互いに隣り合うように接合され、複数のシート４０，４１の組が多数積層されて熱交換素子１１が構成されている。熱交換素子１１の構成により、室内から建物の外部に排出される排出空気と、建物の外部から室内に導入される導入空気との間において熱交換がなされるようになっている。
【００３６】
熱交換素子１１は保持部材１２、１３の間に挟まれて保持される。保持部材１２、１３は弾性のある発泡樹脂（例えば発泡ポリプロピレン、発泡ポリエチレン、発泡ポリ塩化ビニル、発泡ポリスチレン等）からなるものであり、圧縮したときに短時間で原型に復帰する弾性を有する。保持部材１２，１３は熱交換素子１１を保持した状態で、側壁部８と固定枠１９の縦壁部１９Ｂとの間に圧入されるものであり、保持部材１２，１３間に熱交換素子１１を挟着した組立体は、側壁部８と固定枠１９の縦壁部１９Ｂとの距離より圧入可能な程度に大きめに形成され、側壁部８と固定枠１９の縦壁部１９Ｂからの反力により、熱交換素子１１及び保持部材１２，１３が逆さまに装着されても落下しないようになっている。
【００３７】
保持部材１２は、側壁部８と同形同大形状の縦壁部４９と、縦壁部４９の両側から本体ケース２の中央部側に突出する縦壁部５０、５０と、本体ケース２の天井板部２Ａに面接触する天井板部５１と、熱交換素子１１への空気の風路を仕切る仕切板部５２とを有する。仕切板部５２の縁部５２Ａは熱交換素子１１の角部の面取り部を保持する。
【００３８】
縦壁部５０、５０は、熱交換素子１１を挿入するための垂直な縁部５０Ａと、熱交換素子１１の左右端部を保持するために傾斜した縁部５０Ｂとを備えており、この縁部５０Ｂと仕切板部５２の縁部５２Ａによって熱交換素子１１の一部を支える。
【００３９】
縦壁部４９の内側であって蓋板１５側の部分には、蓋板１５に形成された箱体形状の空気案内部５３を収納する凸状の枠部５４が形成されている。更に、縦壁部５０の仕切板部５２の上部には開口部９及びダクトジョイント３５に通じる外気導入用の開口部５５が形成され、縦壁部５０の仕切板部５２の下部には室内空気吸込用の吸込口５３Ａ及びダクトジョイント３６に通じることが可能な室内空気吸込用の吸込口５６が形成されている。
【００４０】
保持部材１３は、本体ケース２の縦断面形状とほぼ同形同大形状の縦壁部６０と、縦壁部６０の両側から保持部材１２側に突出する縦壁部６１、６１と、本体ケース２の天井板部２Ａに面接触する天井板部６２と、熱交換素子１１への空気の風路を仕切る仕切板部６３とを有する。仕切板部６３の縁部６３Ａは熱交換素子１１の角部の面取り部を保持する。
【００４１】
縦壁部６１、６１は、熱交換素子１１を挿入するための垂直な縁部６１Ａと、熱交換素子１１の左右端部を保持するために傾斜した縁部６１Ｂとを備えており、この縁部６１Ｂと仕切板部６３の縁部６３Ａによって熱交換素子１１の一部を支える。更に、天井板部６２の縁部６２Ａは保持部材１２の天井板部５１の縁部と共同して熱交換素子１１の上部の面取り部を保持する。尚、熱交換素子１１の４つの角部は面取りされて更にシール部材４８が貼られていることことにより、交差する外気用通路Ｐ１，排気用通路Ｐ２同士の空気が混入しないようになっている。
【００４２】
保持部材１３の縦壁部６０の仕切板部６３の上部には、ファンケース１７に空気を通すための室内空気排出用の開口部６４が開口されている。この開口部６４の縁部には逆流防止シャッター６５（図３，図４参照）が脱着可能に配設される。また、保持部材１３の縦壁部６０の仕切板部６３の下部には、ファンケース１８に空気を通すための外気導入用の開口部６６が開口されている。この開口部６６の縁部には防虫ネット部材６７（図６参照）が脱着可能に配設される。
【００４３】
逆流防止シャッター６５は、開口部６４に圧入される矩形状の保持枠６８の左右側壁部に回転軸６９を取り付け、回転軸６９にシャッター７０を回転可能に設けたものである。逆流防止シャッター６５は、シャッター７０の上部に回転軸６９を設け、上部のシャッター７０の下端部を下部のシャッター７０の回転軸６９より下側であってファンケース１７側に位置するように設けることによって、通常時は重力により下向きとされる。
【００４４】
室内の空気が建物の外部に排出される場合には、シャッター７０は遠心ファン２５の吸引力により、開いて熱交換素子１１を通ってきた空気を遠心ファン２５側に導く。他方、ビル風や強風等によりファンケース１７内に逆流して空気が、熱交換素子１１側に入り込もうとすると、シャッター７０がその逆流する空気を遮断する。
【００４５】
防虫ネット部材６７は、図５に示すように、開口部６６に圧入して保持される保持枠７１に網目の細かな袋状ネット７２が取り付けられたものであり、ファンケース１８から熱交換素子１１側に吸い込まれる建物外部の空気を透過し、塵芥や昆虫等を捕獲して、侵入を防止する。開口部６６のファンケース１８側の縁部には、取付用の溝部７３が形成されており、溝部７３に防虫ネット部材６７が着脱可能に嵌め込まれている。
【００４６】
これらの逆流防止シャッター６５及び防虫ネット部材６７は開口部６４，６６から取り外すことが可能なように圧入により保持されている。
【００４７】
蓋板１５の上面部には、熱交換素子１１の通路Ｐに細かな塵埃が入り込むことを防止するためのフィルター８０、８１の取付枠８２，８３が着脱可能に支持されている。図７に示すように、蓋板１５の中央部は熱交換素子１１の下部にある面取り部を面接触により支持する凸状部８４が帯状に形成されている。凸状部８４の斜面部には取付枠部８２，８３の挿入開口部８５，８６が形成されており、取付枠部８２，８３の鍔部８７が挿入開口部８５，８６の隙間をシールしている。取付枠部８２，８３の鍔部８７は、凸状部８４の台形断面形状と相似形の断面形状と凸状部８４を塞ぐ大きさを有する取付金具（図示省略）により固定される。この取付金具は凸状部８４の室内側の壁面にボルトを複数本取付け、取付金具にボルトを通す穴を形成し、前記ボルトを取付金具の穴に挿入し、ナットで止める。
【００４８】
蓋板１５の下方には、室内の空気を蓋板１５の開口部１６に導入するためのフロントパネル８８が着脱可能に取り付けられる。フロントパネル８８には空気を取り入れるための開口部８９を有しており、フロントパネル８８と蓋板１５の間には空気を通す通路９０が形成されるようになっている。
【００４９】
この実施の形態の換気装置１においては、建物外部の空気を室内に取り入れる外気導入風路ＡＲ１は、ダクトジョイント３２と、縦壁部５の開口部７と、樹脂板２８の開口部３０と、開口部２３と、仕切板２０で仕切られたファンケース１８の配設空間ＳＰ１（外気導入室）と、ファンケース１８と、開口部２２と、防虫ネット部材６７と、開口部６６と、仕切板部６３で仕切られた保持部材１３の下部の空間ＳＰ２と、フィルター８０と、熱交換素子１１と、熱交換素子１１と保持部材１２の仕切板部５２上部の空間ＳＰ３と、開口部９と、ダクトジョイント３５とにより構成される。
【００５０】
また、室内の空気を建物の外側に排出する換気風路ＡＲ２は、フロントパネル８８の開口部８９と、フロントパネル８８と蓋板１５の間の通路９０と、開口部１６と、熱交換素子１１と保持部材１２の仕切板部５２下部の空間ＳＰ４と、熱交換素子１１と保持部材１３の仕切板部６３上部の空間ＳＰ５と、開口部６４と、逆流防止シャッター６５と、開口部２４と、仕切板２０上部の空間ＳＰ６（室内空気導入室）と、ファンケース１７と、開口部２１，２９，６とダクトジョイント３１とで構成される。
【００５１】
そして、外気導入風路ＡＲ１を構成する保持部材１３の空間ＳＰ２であって、熱交換素子１１の空気取り入れ口に防虫ネット部材６７を脱着可能に設けているので、清掃・交換のメンテナンスが容易である。
【００５２】
また、換気風路ＡＲ２を構成する保持部材１３の空間ＳＰ５であって、熱交換素子１１の空気排出用の開口部６４に逆流防止シャッター６５を脱着可能に設けているので、清掃・交換のメンテナンスが容易である。
【００５３】
更に、本体ケース２の開口部１４から熱交換素子１１と保持部材１２，１３を挿入・取り外し可能であると共に、保持部材１２，１３と熱交換素子１１との組立体（熱交換ユニット）を分解可能であるので、熱交換素子１１や逆流防止シャッター６５或いは防虫ネット部材６７の取付や清掃・交換等のメンテナンスを行う場合に、極めて便利である。
【００５４】
更に、本体ケース３の内部の熱交換素子１１に隣接する位置に、外気導入風路ＡＲ１の一部を構成して建物外部の空気を本体ケース２内に導入する外気導入室ＳＰ１と、熱交換素子１１からの室内空気を建物の外部に排気する室内空気導入室ＳＰ６とを上下に形成し、外気導入室ＳＰ１の側壁部５に外気導入用の開口部６を形成し、室内空気導入室ＳＰ６の側壁部に室内空気を本体ケース２から排出する室内空気排気用の開口部７を形成し、外気導入室ＳＰ１と室内空気導入室ＳＰ６とを仕切る仕切板２０に、モーター２７を設置し、モーター２７の回転軸２７Ａを仕切板２７の上下に突出させ、上下の回転軸２７Ａに遠心ファン２５，２６を設け、それぞれの遠心ファン２５，２６をファンケース１７，１８によって覆って、外気導入風路ＡＲ１と排気風路ＡＲ２とを形成したので、換気装置１がコンパクトになる。
【００５５】
上述の実施の形態にかかる換気装置１によれば、熱交換素子１１の室内空気吸込面Ｆ２が建物外部の空気の吹出面Ｆ１より下側（室内側）に設けられており、本体ケース２と室内空気吸込面Ｆ２とで構成される室内空気排気用の空間ＳＰ４に、開口部１６，５６，３４が形成されているので、これらの開口部３４か開口部５６を閉鎖し、開口部１６のみを開ければ、天井板３の下方の室内から室内空気を取り入れることが出来る。
【００５６】
また、天井板３に開口部４が形成されていない場合には、蓋板１５の開口部１６を閉鎖板１６Ｂ（図６参照）により閉鎖して開口部５６，３４を開けてダクトジョイント３６から蓋３７を取り外し、空気を導入する室内のグリル等から延びる図示しないダクトをダクトジョイント３６に接続すれば、天井板３に開口部がない場合でも天井板３の上部又は上方に換気装置１を設置できる。このため、換気装置１の互換性が向上し、量産化とコストの低廉化をはかることができる。
【００５７】
また、換気装置１の開口部１４を閉鎖する蓋板１５を開けて、保持部材１２，１３及び熱交換素子１１を脱着できるのみならず、フィルター８０，８１、逆流防止シャッター６５、防虫ネット６７の交換も可能であるので、清掃・交換のメンテナンス等が極めて容易である。
【００５８】
更に、外気導入室ＳＰ１と室内空気導入室ＳＰ６とが上下に形成され、その仕切板２０にモーター２７が設けられ、その回転軸２７Ａに遠心ファン２５，２６が設けられているので、小電力であり、換気装置１全体が小型化され、取付作業性等が向上する。
【００５９】
尚、この実施の形態では空調装置として換気装置１について説明したが、これに限らないのは勿論である。
［第２の空調装置］
図７は、第２の実施の形態にかかる空調装置としての換気装置を示すものである。この実施の形態にかかる換気装置１’は、図１に示した換気装置１において、開口部３４のダクトジョイント３６には蓋３７が装着されず室内空気の排出のために使用されていることが、図１の換気装置１と異なり、その他の構成は同一であるので、その説明を援用する。尚、逆流防止シャッター６５及び防虫ネット部材６７は図示しないが図１と同様に備えられている。
【００６０】
この換気装置１’の蓋板１５には、室内の空気を建物の外部に排出する排気風路ＡＲ２の室内空気用の吸込口として、開口部１６が形成されている。蓋板１５は、開口部１４を閉鎖する本体ケース２の底板部１０の一部を構成し、図示しないヒンジにより開口部１４の縁部に取り付けられ、開閉可能とされている。尚、蓋板１５はビス止めによって取り付けられていても良い。
【００６１】
また、本体ケース２の側壁部８の開口部３４に設けられたダクトジョイント３６は本体ケース２の室内空気の排気風路を構成する。ダクトジョイント３６は前述のように図示しないダクトを介して換気装置１’が設置された室内と別の室内の吸込口に接続されている。
【００６２】
尚、室内空気吸込用の開口部３４を外気給気用の開口部９とを同一面である側壁部８にそれぞれ形成すると、建物天井空間における他の用途のダクト配管工事や電灯線の配線工事を行う際に、本体ケース２の長手方向に延びる側面部近傍空間を活用できることとなり、施工における作業自由度が高くなる。
【００６３】
また、例えば、側壁部８に開口部３４を形成し、側壁部８の直交する側面にも室内空気吸込用の開口部を形成し、室内空気吸込用の開口部を選択可能に構成すると、天井空間のダクトや配線の配置状況に応じて室内空気吸込用の開口部を選択することが出来、天井部のダクト・配管等の施工に制限を加えないので、施工における作業の自由度が高くなる。
【００６４】
特に、換気装置１、１’は、外気の供給用或いは室内空気の排出用のダクトを外壁の開口部に接続する都合上、換気装置１、１’の本体ケース２の長手方向が、建物の外壁に対して直交する方向に向けられることが多い。このため、本体ケース２の長手方向に延びる側壁面や長手方向に対して直角方向に延びる側壁面に開口部９，３４をそれぞれ形成し、室内空気吸込用の吸込口を部屋に設置するときの吸込口の設置位置に応じて、本体ケース２の開口部９，３４を選択できることとなり、天井部空間における施工作業の自由度が高くなることとなる。
【００６５】
図８は換気装置１’を複数台設置した戸建て住宅の平面図を示す。図８において住宅２００のホール２０１の天井部及び通路２０２の天井部には換気装置Ｌ、Ｒがそれぞれ設置されている。換気装置Ｌ，Ｒは図７に示す換気装置１’と同じものである。
【００６６】
２０３Ａは外気を建物内部に取り入れるフード、２０３Ｂは室内の空気を建物外部に排出するフードである。フード２０３Ａ近傍に設けられた外気吸込口はダクトを介して換気装置Ｌ，Ｒの外気導入風路ＡＲ１に接続されている。また、フード２０３Ｂ近傍に設けられた排気口はダクトを介して換気装置Ｌ，Ｒの排気風路ＡＲ２に接続されている。
【００６７】
通路２０２の天井部に設けられた換気装置Ｌ，Ｒの開口部１６は通路２０１，２０２の室内空気を導入する。通路２０２近傍の階段室の天井部には室内空気排出用の吸込口２０４Ｌが取り付けられている。吸込口２０４Ｌはダクト２０５Ｌを介して換気装置Ｌのダクトジョイント３６に接続されている。また、階段室の天井部には室内空気排出用の吸込口２０４Ｒが更に取り付けられている。吸込口２０４Ｒはダクト２０５Ｒを介して換気装置Ｌのダクトジョイント３６に接続されている。
【００６８】
従って、換気装置Ｌ，Ｒは開口部１６から通路２０１，２０２の空気を吸い込むと共に、階段室の吸込口２０４Ｌ，Ｒからも空気を吸い込むことが可能とされており、空気の停滞しやすい室内部分の換気を十分に行うことが出来る。
【００６９】
換気装置Ｌ，Ｒは外気導入風路ＡＲ１のダクトジョイント３５（給気用）を３箇所備えている。
【００７０】
換気装置Ｌの給気用のダクトジョイント３５は和室２０６、２０７及び広縁２０８の入り口から離れた場所に外気を供給する。和室２０６、２０７及び広縁２０８の室内空気は扉やガラリから開口部６或いは吸込口２０４から対流するように吸い込まれて建物外部に排気される。
【００７１】
換気装置Ｒの外気供給風路ＡＲ１はダクトを介してダイニングキッチン２０９、ホール２０１、洋室２１０に通じている。換気装置Ｒの室内空気の吸込口２０４Ｒは、階段室の天井部に設置されており、換気装置Ｒの開口部１６は図７のフロントパネル８８を介してホール２０１の天井部の空気を吸引する。ダイニングキッチン２０９、ホール２０１、洋室２１０に供給された外気は対流するように移動して吸込口２０４ｒ及び開口部１６から吸い込まれ、それぞれの室内が淀みなく換気される。
【００７２】
図９は、図７の換気装置１’を通路２２０の天井部に設置したものであり、洗面所・脱衣所２２１の天井部に室内空気吸込口２２２をに設けたものである。室内空気吸込口２２２はダクト２２３を介してダクトジョイント３６に接続されている。洗面所・脱衣所２２１の湿った室内空気は室内空気吸込口２２２から吸い込まれ、建物の外部に排気される。
【００７３】
換気装置１’のダクトジョイント３５は３箇所形成されており、和室２２４の角部に一箇所、ダイニングリビング２２５の角部に二箇所設けられた給気口から外気を供給する。和室２２４，ダイニングリビング２２５の給気口２２４Ａ，２２５Ａ，Ｂは和室２２４の戸２２６や出入口２２７から対角線上の離れた位置に設けられており、室内全体の空気を対流させて換気装置１’の開口部１６から吸い込む。このため、室内全体において淀みなく換気が行われる。
【００７４】
図１０，図１１は二階建ての戸建て住宅に換気装置１’を設置したものである。この換気装置１’は一階の玄関通路２３０の天井部に取り付けられており、和室２３１の天井部角部に一箇所，ダイニングリビング２３２の天井部角部に二箇所、外気を室内に供給する給気口２３３が取り付けられている。それぞれの給気口２３３はダクト２３４を介して換気装置１’の外気導入風路ＡＲ１のダクトジョイント３５に接続されている。尚、換気装置１’のダクトジョイント３５は３箇所形成されている。尚、二階の給気口Ｓは居室等の室内に設けられ、室内へ外気が供給される。この給気口Ｓは自然給気口でも良いし、給気ファンを備えた給気装置でも良い。必要間機量を満たすように、室内へ外気が給気される。
【００７５】
二階の通路２３５の天井部若しくは壁部２３８には吸込口２３６が設置されている。この吸込口２３６にはダクト２３７が接続され、ダクト２３７は換気装置１’の排気風路ＡＲ２のダクトジョイント３６に接続されている。ダクト２３７は壁部２３８の内側に設置することも可能であるが、通路２３５の壁部の下部に吸込口２３６を設けて一階の天井部と二階の通路２３５の間にダクト２３７を配設し、ダクト２３７と吸込口２３６を接続する。二階の洋室には窓や給気口Ｇから空気が取り入れられ、洋室の室内空気はドア下の隙間から通路２３５に出て二階の吸込口２３６から吸い込まれ、換気装置１’から建物外部に排出される。
【００７６】
このような換気装置１’と吸込口によれば、一階天井に設置した１台の換気装置１’により、一階と二階の室内空気を吸い込んで換気を行うことが出来る。
【００７７】
図１２、図１３はマンションの住宅に換気装置１’を設置した平面図である。図１２の住宅では、換気装置１’は通路２４０の天井部に設置されている。ダイニングリビング２４１，和室２４２，洋室２４３，２４４の天井部において出入口から遠い角部にはそれぞれ給気口２４５が設けられており、それぞれダクト２４６を介して換気装置１の外気導入風路ＡＲ１のダクトジョイント３５に接続されている。
【００７８】
ダイニングリビング２４１の天井部の出入口側であって給気口２４５から対角線上に位置する部位には、室内空気を吸い込む吸込口２４７が設置されている。吸込口２４７はダクト２４８を介して換気装置１’の排気風路ＡＲ２のダクトジョイント３６に接続されている。図１２の住宅では人が長時間いることの多いダイニングリビング２４１に吸込口２４７が設置されており、住人等が呼吸する空気の換気効率が高くなると共に、吸込口２４７と給気口２４５が部屋の対角線上に設置されているので、対流が室内全体に起こり、換気効率が向上する。
【００７９】
図１３の住宅では、和室２４２の押入２４９の天井部に吸込口２５０が設けられている。その他の構成は図１２のマンションの換気装置１’と同様であるので、説明を省略する。
【００８０】
図１３の住宅によれば、押入２４９のような湿気が溜まりやすい閉ざされた空間の換気が行われるので、寝具や衣類等が湿ってしまうことが防止され、保管に好適である。
【００８１】
尚、換気装置１’ではダクトジョイント３５が３箇所形成されているが、ダクトジョイント３５の空気の入り込む側の端部が１本で、空気が出てゆく方の端部が複数に分岐するものであっても良いことはいうまでもない。
【００８２】
空気吸込口を形成した室内に、空調装置の外気を供給する外気給気口を形成し、外気給気口と空調装置の外気導入風路とをダクトにより接続するように、前記建物を構成とすると、空気吸込口を設けた室内に外気給気口をも設けるので、その室内の換気効率がより向上する。
【００８３】
また、上述の空調装置によれば、個々の住宅に応じて必要な換気量となるように施工時等にディップスイッチ等で設定しておくことにより、ファンの回転数が決められても、複数のエリアから空気を吸い込むことができるため、換気対象となるエリア（例えば、マンションであればその住宅全体、戸建て住宅であれば各フロア毎）の容積に応じて、必要とする換気量又は換気回数（例えば０．５回／Ｈ）を満たすことができる。これによって計画換気が行えることとなり、クロスやフローリング等の建材から発せられるＶＯＣ（揮発性有機化合物）やホルムアルデヒド等の濃度を低く抑えることができ、シックハウス対策に資することが出来る。
【００８４】
前記建物において、室内空気の吸込口を形成する室内は、居間、押入、収納庫、階段通路、脱衣場、二階居室の少なくとも何れかであると、居間に吸込口を設ければ居住者が常駐しやすい部屋の換気効率が向上し、押入や収納庫に吸込口を設ければ押入や収納庫などの湿気等を排気できて乾燥に良好であり、階段通路に吸込口を設ければ、空気の停滞しやすい場所の換気が行われるため、建物全体の換気効率が向上する。また、脱衣場や洗面所に吸込口を設ければ湿気を換気でき、二階居室に設ければ、一台の空調装置で一階と二階の両方の換気を効率的に行うことが出来る。
【００８５】
【発明の効果】
本願の第１の空調装置によれば、熱交換手段の室内空気の導入する吸込面に臨んで、本体ケースの側壁部と底板部にそれぞれ開口部を閉鎖可能に設けるので、天井部に開口部がある場合には、側壁部の開口部を閉鎖する一方、底板部の開口部を開けて底板部の開口部から室内空気を導入できる。
【００８６】
また、天井部に開口部がない場合には、底板部の開口部を閉鎖して側壁部の開口部を開けて所定の室内と接続すれば、室内空気を導入・排気できる。
【００８７】
更に、天井部に開口部があると共に所望の室内の空気の排気をする場合には、側壁部の開口部と底板部の開口部の両者を開けた状態として両方の開口部から室内空気を導入・排気することが出来る。
【００８８】
このため、第１の空調装置によれば、天井部の開口部のあるなしに関わりなく、この空調装置を設置して室内空気の排気と建物外部の空気の導入とを行うことが出来、換気装置の互換性が向上する。
【００８９】
また、本願の第１の空調装置によれば、個々の住宅に応じて必要な換気量となるように施工時等にディップスイッチ等で設定しておくことにより、ファンの回転数が決められても、複数のエリアから空気を吸い込むことができるため、換気対象となるエリア（例えば、マンションであればその住宅全体、戸建て住宅であれば各フロア毎）の容積に応じて、必要とする換気量又は換気回数（例えば０．５回／Ｈ）を満たすことができる。これによって計画換気が行えることとなり、クロスやフローリング等の建材から発っせられるＶＯＣ（揮発性有機化合物）やホルムアルデヒド等の濃度を低く抑えることができ、シックハウス対策に資することが出来る。
【００９０】
本願の第２の空調装置によれば、熱交換手段及び保持部材を本体ケースから取り外して清掃・交換が出来、換気装置の互換性が高まると共に、メンテナンスの作業性が向上する。
【００９１】
本願の第３の空調装置によれば、第１及び第２の空調装置の効果に加えて、１モーター２ファンにより構成したため、コンパクト（小型且つ軽量）に換気装置を実現することが出来る。
【００９２】
本願の第４の空調装置によれば、室内空気吸込用の吸込口を本体ケースに形成するので、複数の室内の空気を直接吸い込んで排気でき、所望の室内の換気効率が向上するとともに、吸込口が複数個あることによりファンの音が分散されて静かなものになる。
【００９３】
本願の第５の空調装置によれば、第４の空調装置同様に所望の室内の換気効率が向上すると共に、空調装置の設置する天井部からも室内空気を吸い込んで排気する場合に、天井部に開口部があっても音が他の吸込口に分散されるので、ファンの音が静かなものとなる。
【００９４】
本願の第１の建物によれば、建物の室内に空気吸込口を形成するので、設置した部屋自身の換気効率が向上する。
【図面の簡単な説明】
【図１】本発明の実施の形態にかかる換気装置の構成を示す断面図。
【図２】図１の保持部材及び熱交換素子の組立状態を示す分解斜視図。
【図３】図１に示す保持部材１３の側面図。
【図４】図３に示す逆流防止シャッターの平面図。
【図５】図３に示す防虫ネット部材の平面図。
【図６】図１に示すケース本体の下部の蓋板側の構成を示す図。
【図７】第２の実施の形態にかかる換気装置の構成を示す断面図。
【図８】一戸建て住宅の階段部分に複数の室内空気用の吸込口を配設した状態を示す平面図。
【図９】一戸建て住宅の洗面所・脱衣所に室内空気用の吸込口を配設した状態を示す平面図。
【図１０】一戸建て住宅の一階部分に換気装置を配設した状態を示す平面図。
【図１１】一戸建て住宅の二階部分に室内空気用の吸込口を配設した状態を示す平面図。
【図１２】マンション住宅内部のダイニングルームに室内空気用の吸込口を配設した状態を示す平面図。
【図１３】マンション住宅内部の押入に室内空気用の吸込口を配設した状態を示す平面図。
【図１４】従来の換気装置の構成を示す模式図。
【符号の説明】
１  換気装置
２  本体ケース
３  天井部
１０  底板部
１１  熱交換素子
１２，１３  保持部材
１５  蓋板
１７，１８  ファンケース
２７  ファンモーター
２５，２６  遠心ファン
Ｐ１  外気用通路
Ｐ２  排気用通路
Ｆ１  導入した外気の吹出面
Ｆ２  室内空気吸込面
ＡＲ１  外気導入風路
ＡＲ２  換気風路
ＳＰ１  ファンケース１８の配設空間（外気導入室）
ＳＰ４  保持部材１２の下部空間
ＳＰ６  ファンケース１７の配設空間（室内空気導入室）
【図１】
2004251610.tif 000003
【図２】
2004251610.tif 000004
【図３】
2004251610.tif 000005
【図４】
2004251610.tif 000006
【図５】
2004251610.tif 000007
【図６】
2004251610.tif 000008
【図７】
2004251610.tif 000009
【図８】
2004251610.tif 000010
【図９】
2004251610.tif 000011
【図１０】
2004251610.tif 000012
【図１１】
2004251610.tif 000013
【図１２】
2004251610.tif 000014
【図１３】
2004251610.tif 000015
【図１４】
2004251610.tif 000016